(57)【特許請求の範囲】
【請求項１】
基地局装置を介して、グループ内に含まれた複数の端末装置間での通信を実行する端末装置であって、
位置登録要求と、グループ内に含まれた他の端末装置の状態の問い合せ要求が含まれた第１信号を前記基地局装置へ送信する送信部と、
前記送信部から送信した第１信号に含まれた位置登録要求に対する応答と、第１信号に含まれた問い合せ要求に対する応答とが含まれた第２信号であり、前記問い合せ要求に対する応答には、グループ内に含まれた他の端末装置の識別情報と、当該他の端末装置が通信可能であるか否かを示す状態情報とが含まれており、かつ通信対象として他の端末装置が選択された場合に前記状態情報において当該他の端末装置が通信可能であることが示されていれば、当該他の端末装置への発信要求を前記送信部に送信させるための第２信号を前記基地局装置から受信する受信部と、
前記受信部において受信した第２信号に含まれた問い合せ要求に対する応答において、他の端末装置が通信不可能であることが示されている場合、通信対象として当該他の端末装置が選択されると、選択された端末装置の識別情報とともに、その端末装置が通信不可能であるため発信できないことを示す情報を表示する表示部と、
を備えることを特徴とする端末装置。
【請求項２】
基地局装置を介して、グループ内に含まれた複数の端末装置間での通信を実行する端末装置における通信方法であって、
位置登録要求と、グループ内に含まれた他の端末装置の状態の問い合せ要求が含まれた第１信号を前記基地局装置へ送信するステップと、
送信した第１信号に含まれた位置登録要求に対する応答と、第１信号に含まれた問い合せ要求に対する応答とが含まれた第２信号であり、前記問い合せ要求に対する応答には、グループ内に含まれた他の端末装置の識別情報と、当該他の端末装置が通信可能であるか否かを示す状態情報とが含まれており、かつ通信対象として他の端末装置が選択された場合に前記状態情報において当該他の端末装置が通信可能であることが示されていれば、当該他の端末装置への発信要求を送信させるための第２信号を前記基地局装置から受信するステップと、
前記受信するステップにおいて受信した第２信号に含まれた問い合せ要求に対する応答において、他の端末装置が通信不可能であることが示されている場合、通信対象として当該他の端末装置が選択されると、選択された端末装置の識別情報とともに、その端末装置が通信不可能であるため発信できないことを示す情報を表示するステップと、
を含めることを特徴とする通信方法。
【請求項３】
基地局装置を介して、グループ内に含まれた複数の端末装置間での通信を実行する端末装置におけるプログラムであって、
位置登録要求と、グループ内に含まれた他の端末装置の状態の問い合せ要求が含まれた第１信号を前記基地局装置へ送信するステップと、
送信した第１信号に含まれた位置登録要求に対する応答と、第１信号に含まれた問い合せ要求に対する応答とが含まれた第２信号であり、前記問い合せ要求に対する応答には、グループ内に含まれた他の端末装置の識別情報と、当該他の端末装置が通信可能であるか否かを示す状態情報とが含まれており、かつ通信対象として他の端末装置が選択された場合に前記状態情報において当該他の端末装置が通信可能であることが示されていれば、当該他の端末装置への発信要求を送信させるための第２信号を前記基地局装置から受信するステップと、
前記受信するステップにおいて受信した第２信号に含まれた問い合せ要求に対する応答において、他の端末装置が通信不可能であることが示されている場合、通信対象として当該他の端末装置が選択されると、選択された端末装置の識別情報とともに、その端末装置が通信不可能であるため発信できないことを示す情報を表示するステップとをコンピュータに実行させるためのプログラム。
【発明の詳細な説明】
【技術分野】
【０００１】
本発明は、通知技術に関し、特に基地局装置を介して端末装置間の通信がなされる通信システムにおける端末装置、通信方法、プログラムに関する。
【背景技術】
【０００２】
移動通信システムにおいて、複数の移動局は、各所に配置された基地局に対して存在位置を登録する。基地局で位置登録情報が管理されることによって、移動局が存在するエリアが把握され、通話の呼出しエリアが特定される。基地局は、移動局からの通話が発生すると、移動局に通信チャネルを割り当てることによって、基地局を経由した移動局間の通話がなされる。その際、発信側の移動局から着信側の移動局への発呼がなされると、基地局装置は、着信側の移動局の加入者情報を管理システムから読み出す。着信側の移動局の状態情報として電源オフの状態が登録されていると、基地局は、発信側の移動局に対してその旨を通知し、着信側の移動局を呼び出さない（例えば、特許文献１）。
【先行技術文献】
【特許文献】
【０００３】
【特許文献１】特開平１１−３５５８５０号公報
【発明の概要】
【発明が解決しようとする課題】
【０００４】
移動局の状態は基地局側の装置（ホームロケーションレジスタ）で管理されているので、発信側の移動局は着信側の移動局の状態に関する情報を有していない。そのため、発信側の移動局が着信側の移動局へ発呼すると、着信側の移動局の電源がオフの状態であっても、発信側の移動局と基地局との間で通信アクセスが発生する。これは、無駄な送信であり、効率的な送信が望まれる。
【０００５】
本発明はこうした状況に鑑みてなされたものであり、その目的は、信号の送信を効率的に実行する技術を提供することである。
【課題を解決するための手段】
【０００６】
上記課題を解決するために、本発明のある態様の端末装置は、基地局装置を介して、グループ内に含まれた複数の端末装置間での通信を実行する端末装置であって、位置登録要求と、グループ内に含まれた他の端末装置の状態の問い合せ要求が含まれた第１信号を基地局装置へ送信する送信部と、送信部から送信した第１信号に含まれた位置登録要求に対する応答と、第１信号に含まれた問い合せ要求に対する応答とが含まれた第２信号であり、問い合せ要求に対する応答には、グループ内に含まれた他の端末装置の識別情報と、当該他の端末装置が通信可能であるか否かを示す状態情報とが含まれており、かつ通信対象として他の端末装置が選択された場合に状態情報において当該他の端末装置が通信可能であることが示されていれば、当該他の端末装置への発信要求を送信部に送信させるための第２信号を基地局装置から受信する受信部と、受信部において受信した第２信号に含まれた問い合せ要求に対する応答において、他の端末装置が通信不可能であることが示されている場合、通信対象として当該他の端末装置が選択されると、選択された端末装置の識別情報とともに、その端末装置が通信不可能であるため発信できないことを示す情報を表示する表示部と、を備える。
【０００８】
本発明のさらに別の態様は、通信方法である。この方法は、基地局装置を介して、グループ内に含まれた複数の端末装置間での通信を実行する端末装置における通信方法であって、位置登録要求と、グループ内に含まれた他の端末装置の状態の問い合せ要求が含まれた第１信号を基地局装置へ送信するステップと、送信した第１信号に含まれた位置登録要求に対する応答と、第１信号に含まれた問い合せ要求に対する応答とが含まれた第２信号であり、問い合せ要求に対する応答には、グループ内に含まれた他の端末装置の識別情報と、当該他の端末装置が通信可能であるか否かを示す状態情報とが含まれており、かつ通信対象として他の端末装置が選択された場合に状態情報において当該他の端末装置が通信可能であることが示されていれば、当該他の端末装置への発信要求を送信させるための第２信号を基地局装置から受信するステップと、受信するステップにおいて受信した第２信号に含まれた問い合せ要求に対する応答において、他の端末装置が通信不可能であることが示されている場合、通信対象として当該他の端末装置が選択されると、選択された端末装置の識別情報とともに、その端末装置が通信不可能であるため発信できないことを示す情報を表示するステップと、を含める。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、信号の送信を効率的に実行できる。
【図面の簡単な説明】
【００１２】
【図１】本発明の実施例に係る業務用無線システムの構成を示す図である。
【図２】図１の業務用無線システムによる通信手順を示すシーケンス図である。
【図３】図１の端末装置の構成を示す図である。
【図４】図３の記憶部に記憶されたデータベースのデータ構造を示す図である。
【図５】図３の表示部において表示される画面を示す図である。
【図６】図３の表示部において表示される別の画面を示す図である。
【図７】図１の基地局装置の構成を示す図である。
【図８】図１の管理装置の構成を示す図である。
【図９】図８の記憶部に記憶されたデータベースのデータ構造を示す図である。
【図１０】図１の業務用無線システムによる登録手順を示すシーケンス図である。
【図１１】図１の業務用無線システムによる別の登録手順を示すシーケンス図である。
【図１２】図１の業務用無線システムによる削除手順を示すシーケンス図である。
【図１３】図３の端末装置による発信手順を示すフローチャートである。
【図１４】図３の端末装置による別の発信手順を示すフローチャートである。
【発明を実施するための形態】
【００１３】
本発明を具体的に説明する前に、まず概要を述べる。本発明の実施例は、ネットワークに接続された複数の基地局装置と、各基地局装置に接続された複数の端末装置と、ネットワークに接続された管理装置を含む業務用無線システムに関する。業務用無線システムでは、複数の端末装置によってグループが形成される。基地局装置は、グループに対して、上りチャネルと下りチャネルを割り当てる。このような状況下において、グループ中のひとつの端末装置（以下、「送信装置」という）が、上りチャネルにて信号を送信し、グループ中の他の端末装置（以下、「受信装置」という）が、下りチャネルにて信号を受信する。なお、送信装置が接続された基地局装置とは異なった基地局装置も、当該グループに対して下りチャネルを割り当てるので、当該基地局装置に接続された受信装置も信号を受信できる。さらに、別のグループに対しても同様の処理がなされるが、異なったグループ間での通信はなされない。
【００１４】
前述のごとく、送信装置は、受信装置の状態、例えば、電源のオン／オフを把握していない。そのため、通信対象にすべき受信装置が電源オフであるか否かにかかわらず、送信装置は、基地局装置へ発信要求を送信する。基地局装置に接続された管理装置は、受信装置が電源オンであれば、受信装置が含まれたグループに対してチャネルを割り当て、通信を実行させる。一方、管理装置は、受信装置が電源オフであれば、チャネルを割り当てない。このような場合の発信要求の送信は、無駄な送信である。
【００１５】
信号の送信を効率的に実行ために、本実施例に係る送信装置は、通信を実行するための前提とされる情報、例えば位置登録要求が含まれた信号に、受信装置の状態を問い合せるための問い合せ要求も含めて送信する。基地局装置は、位置登録要求に対して、当該送信装置を位置登録する。また、管理装置は、問い合せ要求に対して、既に登録されている受信装置の情報、例えば、電源オン／オフ情報を取得する。基地局装置は、位置登録要求の応答が含まれた信号に、受信装置の情報も含めて送信する。その結果、送信装置は、発信要求を送信する前に、受信装置の情報を取得する。受信装置の情報が電源オフを示していれば、送信装置は、発信要求を送信しない。また、問い合せ要求は位置登録要求とともに送信され、受信装置の情報は位置登録要求の応答とともに送信されるので、新たな信号が不要になり、信号の送信が効率的になされる。
【００１６】
図１は、本発明の実施例に係る業務用無線システム１００の構成を示す。業務用無線システム１００は、基地局装置１０と総称される第１基地局装置１０ａ、第２基地局装置１０ｂ、第３基地局装置１０ｃ、第４基地局装置１０ｄ、端末装置１２と総称される第１端末装置１２ａ、第２端末装置１２ｂ、第３端末装置１２ｃ、第４端末装置１２ｄ、ネットワーク１４、管理装置２０を含む。第１基地局装置１０ａは、第１エリア１６ａを形成し、第２基地局装置１０ｂは、第２エリア１６ｂを形成し、第３基地局装置１０ｃは、第３エリア１６ｃを形成し、第４基地局装置１０ｄは、第４エリア１６ｄを形成する。ここで、第１エリア１６ａ、第２エリア１６ｂ、第３エリア１６ｃ、第４エリア１６ｄは、エリア１６と総称される。なお、基地局装置１０の数、端末装置１２の数は、「４」に限定されない。
【００１７】
第１基地局装置１０ａから第４基地局装置１０ｄは、ネットワーク１４を介して接続される。基地局装置１０は、複数のチャネルを設定可能であり、各チャネルをグループに割り当てる。チャネルには、公知の技術が使用されればよい。ここでは、一例として、ＴＤＭＡ（Ｔｉｍｅ  Ｄｉｖｉｓｉｏｎ  Ｍｕｌｔｉｐｌｅ  Ａｃｃｅｓｓ）／ＦＤＤ（Ｆｒｅｑｕｅｎｃｙ  Ｄｉｖｉｓｉｏｎ  Ｄｕｐｌｅｘ）によって複数のチャネルが多重化されている。例えば、第１基地局装置１０ａは、下りチャネルとして、Ｃｈ１、Ｃｈ３からＣｈ６を設定し、上りチャネルとして、Ｃｈ２、Ｃｈ７からＣｈ１０を設定する。ここで、Ｃｈ１は、下り制御チャネルに使用され、Ｃｈ２は、上り制御チャネルに使用される。また、Ｃｈ３とＣｈ７とが、ひとつの組合せとして同一のグループに割り当てられる。Ｃｈ４からＣｈ６、Ｃｈ８からＣｈ１０も同様である。他の基地局装置１０も、同様にチャネルを設定するが、設定可能なチャネル数は、基地局装置１０ごとに異なっていてもよい。さらに、Ｃｈ１とＣｈ２は、すべての基地局装置１０にわたって共通に、下り制御チャネルと上り制御チャネルに使用されるものとする。
【００１８】
端末装置１２は、基地局装置１０を介して他の端末装置１２と通信可能な無線端末である。ここでは、通信として通話がなされるものとする。なお、データ通信がなされてもよい。端末装置１２は、エリア１６に進入すると、当該エリア１６を形成している基地局装置１０に対して、位置登録を要求する。その際、使用するグループの登録も要求される。これらの要求は、Ｃｈ２の上り制御チャネルに含まれて送信される。上り制御チャネルは、ランダムアクセスによって送信される。基地局装置１０は、要求に応じて、グループ単位に端末装置１２を登録する。
【００１９】
ひとつの端末装置１２において発呼が発生した場合、端末装置１２は、Ｃｈ２において、発信要求が含まれた上り制御チャネルを送信する。上り制御チャネルを受信した基地局装置１０は、当該端末装置１２を前述の送信装置とし、送信装置が含まれたグループにチャネルを割り当てる。ここでのチャネルは、下りチャネルと上りチャネルとの総称である。基地局装置１０は、他の基地局装置１０に対して、当該グループに対してチャネルを割り当てることをネットワーク１４経由で要求する。他の基地局装置１０は、要求に応じて、当該グループが登録されているかを確認する。登録されている場合、他の基地局装置１０は、当該グループにチャネルを割り当てる。
【００２０】
基地局装置１０および他の基地局装置１０は、割り当てたチャネルの情報が含まれた下り制御チャネルを端末装置１２に送信する。当該グループに含まれた残りの端末装置１２である受信装置と、送信装置とは、下り制御チャネルを受信することによって、割り当てられたチャネルを認識する。送信装置は、割り当てられた上りチャネルにて信号を基地局装置１０へ送信する。当該信号には、デジタル化された音声信号が含まれている。基地局装置１０は、送信装置が含まれたグループ内に受信装置が含まれている場合、割り当てた下りチャネルにて信号を受信装置へ送信する。また、基地局装置１０は、受信した信号を他の基地局装置１０へ送信する。他の基地局装置１０は、割り当てた下りチャネルにて信号を受信装置へ送信する。受信装置は、受信した信号をもとに音声信号を再生して、スピーカから音声を出力する。
【００２１】
このように、複数の端末装置１２が含まれたグループが複数形成されている。また、複数の基地局装置１０のそれぞれがグループ単位にチャネルを割り当てる。その結果、チャネルを割り当てたグループに含まれたひとつの端末装置１２から、当該グループに含まれた残りの端末装置１２への通信がなされる。
【００２２】
なお、グループに含まれた複数の端末装置１２の間で、送信装置と受信装置とが入れ替わってもよい。受信装置として動作した端末装置１２において、送信すべき信号が発生した場合、当該端末装置１２は、前述のごとく、発信要求が含まれた上り制御チャネルを送信することによって、送信装置に切り替わる。また、送信装置として動作した端末装置１２は、信号の送信を終了すると、受信装置に切り替わる。このようなグループ通話は、ひとつの通話が発生した場合に、各基地局装置１０のチャネルをひとつ使用する。そのため、同１グループに含まれた端末装置１２が、広範囲の基地局装置１０に登録されている場合、１通話で基地局装置１０の数分のチャネルが使用される。以上の処理は、グループごとになされる。
【００２３】
図１では、グループ１の通話がなされている状況を示す。第２端末装置１２ｂが送信装置に相当する。第２端末装置１２ｂは、第２基地局装置１０ｂのＣｈ８を使用して信号を送信する。第１基地局装置１０ａ、第３基地局装置１０ｃには、グループ１が登録されている。そのため、第１端末装置１２ａは、第１基地局装置１０ａのＣｈ３を使用して信号を受信し、第３端末装置１２ｃは、第３基地局装置１０ｃのＣｈ３を使用して信号を受信する。一方、第４基地局装置１０ｄには、グループ１が登録されていないので、第４基地局装置１０ｄへは、第２端末装置１２ｂからの信号が出力されない。
【００２４】
例えば、グループ１が第２基地局装置１０ｂだけに登録されている場合、グループ１の通話が発生すると、第２基地局装置１０ｂのＣｈ８にて送信装置が信号を送信し、第２基地局装置１０ｂのＣｈ３にて受信装置が信号を受信する。そのため、ひとつの基地局装置１０だけの１組のチャネルが使用される。また、グループ１がふたつの基地局装置１０に登録されている場合、グループ１の通話が発生すると、ふたつの基地局装置１０のそれぞれにおいて１組のチャネルが使用される。そのため、２組のチャネルが使用される。これは、携帯電話システムのような１対１通話と同じだけのチャネルの消費に相当する。さらに、グループ１が３つ以上の基地局装置１０に登録されている場合、３組以上のチャネルが消費される。第３基地局装置１０ｃのすべてのチャネルが他のグループに使用されている場合、第３基地局装置１０ｃにおいてグループ１の通話がなされない。これは、ミスコールあるいはビジー状態に相当する。
【００２５】
通信処理に先立って、第２端末装置１２ｂが電源オン・オフの操作を行うことによって、制御チャネルを獲得した場合、第２端末装置１２ｂは、基地局装置１０に対して位置登録要求が含まれた上り制御チャネルを送信する。この上り制御チャネルには、位置登録要求に加えて、状態管理したい他の端末装置１２についての問い合せ要求が含まれている。当該問い合せ要求によって要求される他の端末装置１２の情報には、システム管理者が設定した各端末装置１２の情報、または基地局装置１０としてその端末装置１２が所属するグループの情報が含まれる。第２基地局装置１０ｂは、第２端末装置１２ｂの情報を登録するとともに、ネットワーク１４を介して接続された管理装置２０にも第２端末装置１２ｂの状態を登録させる。さらに、第２基地局装置１０ｂは、管理装置２０に対して、問い合せ要求を出力する。
【００２６】
管理装置２０は、複数の端末装置１２の状態を管理しており、第２端末装置１２ｂの状態を追加する。また、管理装置２０は、問い合せ要求にて必要とされる端末装置１２の状態を第２基地局装置１０ｂへ出力する。第２基地局装置１０ｂは、位置登録要求の応答とともに、管理装置２０から受けつけた他の端末装置１２の状態の情報を下り制御チャネルに含め、下り制御チャネルを送信する。第２端末装置１２ｂは、受信した下り制御チャネルをもとに、他の端末装置１２の状態を内部に記憶する。また、第２端末装置１２ｂの状態が更新されたことは、基地局装置１０から各端末装置１２へ報知される。位置登録済の他の端末装置１２、例えば、第１端末装置１２ａは、報知された情報を受信し、必要であれば、第２端末装置１２ｂの状態を記憶する。
【００２７】
図２は、業務用無線システム１００による通信手順を示すシーケンス図である。第２端末装置１２ｂは、上り制御チャネルにて発信要求を送信する（Ｓ１１０）。第２基地局装置１０ｂは、発信要求を第１基地局装置１０ａに通知する（Ｓ１１２）。第１基地局装置１０ａは、発信要求の応答を第２基地局装置１０ｂに通知する（Ｓ１１４）。第２基地局装置１０ｂおよび第１基地局装置１０ａは、グループ１にチャネルを割り当てる（Ｓ１１６、Ｓ１１８）。第２基地局装置１０ｂおよび第１基地局装置１０ａは、下り制御チャネルにて割当結果を送信する（Ｓ１２０、Ｓ１２２）。第２端末装置１２ｂは、上りデータを第２基地局装置１０ｂへ送信する（Ｓ１２４）。第２基地局装置１０ｂは、第１基地局装置１０ａへデータを送信する（Ｓ１２６）。第１基地局装置１０ａは、下りデータを第１端末装置１２ａへ送信する（Ｓ１２８）。
【００２８】
図３は、端末装置１２の構成を示す。端末装置１２は、通信部４０、処理部４２、マイク４４、スピーカ４６、操作部４８、表示部５０、記憶部５２を含む。通信部４０は、送信部５４、受信部５６を含む。
【００２９】
マイク４４は、通話の際に、ユーザからの音声を受けつけ、音声を音声信号に変換する。マイク４４は、音声信号を処理部４２へ出力する。スピーカ４６は、通話の際に、処理部４２からの音声信号を受けつけ、音声信号を音声として出力する。なお、スピーカ４６は、警告音等を出力してもよい。操作部４８は、ボタン、タッチパネル等によって構成されており、ユーザからの入力を受けつける。操作部４８は、受けつけた入力を処理部４２へ出力する。表示部５０は、処理部４２からの画像、メッセージを受けつけ、それらを表示する。画面がタッチパネルである場合、表示部５０は、操作部４８と一体的に構成される。なお、表示部５０を端末装置１２に含めずに、端末装置１２に表示装置（図示せず）を接続し、外部の表示装置に情報を表示させるように構成することも可能である。
【００３０】
処理部４２は、端末装置１２の電源がオンされた場合、あるいは新たなエリア１６に端末装置１２が進入した場合、位置登録要求を生成する。また、処理部４２は、他の端末装置１２に対する問い合せ要求も生成する。問い合せ要求とは、他の端末装置１２の状態、例えば他の端末装置１２の電源がオンであるかオフであるかを問い合わせるための要求である。また、他の端末装置１２とは、操作部４８を介してユーザからによって選択された端末装置１２であってもよいし、本端末装置１２と同一のグループに含まれた他の端末装置１２であってもよい。処理部４２は、位置登録要求と問い合せ要求とをまとめて送信部５４に送信させる。送信部５４は、位置登録要求と問い合せ要求とを上り制御チャネルに含めて、上り制御チャネルを基地局装置１０に送信する。
【００３１】
上り制御チャネルを送信した後、受信部５６は、基地局装置１０からの下り制御チャネルを受信する。当該下り制御チャネルには、位置登録要求に対する応答と他の端末装置１２の状態通知が含まれている。位置登録要求に対応する応答は、位置登録がなされているか否かを示す情報あり、例えば位置登録がなされたことが示されている。他の端末装置１２の状態通知は、問い合せ要求に対する応答であり、他の端末装置１２の電源がオンであるかオフであるかが示されている。受信部５６は、位置登録要求に対する応答と他の端末装置１２の状態通知を処理部４２に出力する。
【００３２】
処理部４２は、位置登録要求に対する応答をもとに、通信可能な状態になっていることを把握する。処理部４２は、他の端末装置１２の状態通知を記憶部５２に記憶させる。図４は、記憶部５２に記憶されたデータベースのデータ構造を示す。データベースには、端末装置１２を識別するための端末装置ＩＤが示されるとともに、端末装置１２の電源がオンであるかオフであるかが示される。図３に戻る。
【００３３】
このような処理の後で発信を行う前に、処理部４２は、記憶部５２に記憶された情報をもとに連絡先の一覧画面を生成し、生成した一覧画面を表示部５０に表示させる。図５は、表示部５０において表示される画面を示す。図４に示された端末装置ＩＤが、「Ｄｅｓｔ．ＩＤ」として示される。また、電源オンの場合に〈ＯＮ〉が示され、電源オフの場合に〈ＯＦＦ〉が示されるが、これらは、問い合せ要求に対する応答に相当する。このように表示部５０は、通信対象となる他の端末装置１２を表示する。図３に戻る。
【００３４】
ユーザは、表示部５０に表示された一覧画面を確認しながら、操作部４８を操作することによって、通信対象の端末装置１２を選択する。その際、〈ＯＦＦ〉が示された端末装置１２は選択できないようにされる。その結果、処理部４２は、電源オフされている端末装置１２への発信要求を生成しない。一方、電源オンされている端末装置１２が選択された場合、処理部４２は、発信要求を生成し、送信部５４は、発信要求が含まれた上り制御チャネルを送信する。これに続く通信処理は前述の通りなので、ここでは説明を省略する。
【００３５】
また、表示部５０において表示される一覧画面が図５と異なり、電源オンの場合の〈ＯＮ〉と電源オフの場合の〈ＯＦＦ〉が表示されなくてもよい。ユーザは、表示部５０に表示された一覧画面を確認しながら、操作部４８を操作することによって、通信対象の端末装置１２を選択する。電源オフされている端末装置１２が選択された場合、処理部４２は、発信できないことを示すための画面を生成して、生成した画面を表示部５０に表示させる。表示部５０は、生成された画面を表示する。
【００３６】
図６は、表示部５０において表示される別の画面を示す。図示のごとく、「Ｄｅｓｔ．ＩＤ８１００は、電源Ｏｆｆのため発呼できません」と表示される。つまり、表示部５０は、状態通知において通信不可能であることが示されている他の端末装置１２が通信対象として選択された場合、通信不可能であることを表示する。図３に戻る。電源オンされている端末装置１２が選択された場合、前述のごとく、処理部４２は、発信要求を生成し、送信部５４は、発信要求が含まれた上り制御チャネルを送信する。
【００３７】
操作部４８を操作することによって、端末装置１２の電源をオフにする。端末装置１２が電源オンである状態から電源オフに遷移する場合、処理部４２は、登録削除要求を生成する。送信部５４は、登録削除要求が含まれた上り制御チャネルを基地局装置１０へ送信する。上り制御チャネルを受信した基地局装置１０は、下り制御チャネルを送信する。当該下り制御チャネルには、登録削除要求に対する応答が含まれている。
【００３８】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３９】
図７は、基地局装置１０の構成を示す。基地局装置１０は、通信部７０、処理部７２、ネットワークＩＦ部７４、位置登録管理部８０を含む。通信部７０は、送信部７６、受信部７８を含む。
【００４０】
受信部７８は、端末装置１２からの上り制御チャネルを受信する。当該上り制御チャネルには、位置登録要求と問い合せ要求とが含まれる。受信部７８は、位置登録要求と問い合せ要求とを処理部７２に出力する。処理部７２は、位置登録要求を位置登録管理部８０へ出力し、位置登録管理部８０は、端末装置１２の位置情報を記憶する。位置登録管理部８０は、位置情報を記憶すると、その旨を位置登録要求の応答として生成し、処理部７２に出力する。
【００４１】
また、処理部７２は、位置登録要求と問い合せ要求とをネットワークＩＦ部７４へ出力し、ネットワークＩＦ部７４は、ネットワーク１４を介して管理装置２０へ位置登録要求と問い合せ要求とを送信する。ネットワークＩＦ部７４は、問い合せ要求に対する応答として他の端末装置１２の状態通知を管理装置２０から受信する。ネットワークＩＦ部７４は、他の端末装置１２の状態通知を処理部７２に出力する。処理部７２は、位置登録要求の応答と他の端末装置１２の状態通知を送信部７６へ出力する。送信部７６は、位置登録要求の応答と他の端末装置１２の状態通知とが含まれた下り制御チャネルを端末装置１２へ送信する。
【００４２】
送信部７６は、下り制御チャネルを送信した後、報知メッセージをエリア１６内の他の端末装置１２へ報知する。報知メッセージでは、端末装置１２が電源オンになっていることが示される。報知メッセージを受信した他の端末装置１２は、報知メッセージにて記憶部５２のデータベースを更新する。
【００４３】
また、受信部７８は、登録削除要求が含まれた上り制御チャネルも端末装置１２から受信する。処理部７２は、登録削除要求を位置登録管理部８０へ出力し、位置登録管理部８０は、端末装置１２の位置情報を削除する。位置登録管理部８０は、位置情報を削除すると、その旨を登録削除要求の応答として生成し、処理部７２に出力する。処理部７２は、登録削除要求をネットワークＩＦ部７４へ出力し、ネットワークＩＦ部７４は、ネットワーク１４を介して管理装置２０へ登録削除要求を送信する。処理部７２は、登録削除要求の応答を送信部７６へ出力し、送信部７６は、登録削除要求の応答が含まれた下り制御チャネルを端末装置１２へ送信する。さらに、送信部７６は、下り制御チャネルを送信した後、端末装置１２が電源オフになっていることを示した報知メッセージをエリア１６内の他の端末装置１２へ報知する。
【００４４】
図８は、管理装置２０の構成を示す。管理装置２０は、通信部３０、処理部３２、記憶部３６を含む。通信部３０は、送信部６０、受信部６２を含む。
【００４５】
受信部６２は、ネットワーク１４に接続されており、基地局装置１０を介して、端末装置１２からの位置登録要求と問い合せ要求とを受信する。処理部３２は、受信部６２から位置登録要求を受けつけ、それをデータベースに記憶する。記憶部３６は、各端末装置１２の情報をデータベースとして記憶する。図９は、記憶部３６に記憶されたデータベースのデータ構造を示す。図９に示す例では、「グループ名」、「端末装置ＩＤ」、「状態」が含まれる。グループ名（グループ番号）は、端末装置１２が含まれたグループの識別情報を示し、「端末装置ＩＤ」は「Ｕｎｉt  ＩＤ」とも呼ばれ、前述のごとく、端末装置を一意に識別する番号である。「状態」は、端末装置１２が電源オンであるか電源オフであるかを示す。位置登録要求を記憶することによって、該当する端末装置１２の状態が電源オフから電源オンに変更される。図８に戻る。
【００４６】
処理部３２は、受信部６２から問い合せ要求を受けつける。問い合せ要求には、問い合せ対象となる端末装置１２の端末装置ＩＤがひとつ以上含まれている。処理部３２は、問い合せ要求に含まれた端末装置ＩＤをもとに、記憶部３６に記憶されたデータベースを検索して、端末装置ＩＤに対応した状態を抽出する。処理部３２は、抽出した状態と端末装置ＩＤとの組合せをもとに、他の端末装置１２の状態通知を生成する。送信部６０は、ネットワーク１４を介して基地局装置１０へ、他の端末装置１２の状態通知を送信する。
【００４７】
受信部６２は、基地局装置１０を介して、端末装置１２からの登録削除要求も受信する。処理部３２は、登録削除要求を受けつけ、それをもとにデータベースの変更を実行する。具体的に説明すると、該当する端末装置１２の状態が電源オンから電源オフに変更される。
【００４８】
以上の構成による業務用無線システム１００の動作を説明する。なお、これまでは、第２端末装置１２ｂが送信装置とされ、第１端末装置１２ａが受信装置とされていたが、ここでは、第１端末装置１２ａを送信装置とし、第２端末装置１２ｂを受信装置とする。図１０は、業務用無線システム１００による登録手順を示すシーケンス図である。第１端末装置１２ａの電源がオンされる（Ｓ１０）。第２端末装置１２ｂは、電源オフ状態にされている（Ｓ１４）。第１端末装置１２ａは、登録要求と問い合せ要求とを送信する（Ｓ１６）。ここで、問い合せ要求では、第２端末装置１２ｂの状態が問い合わされている。管理装置２０は、登録要求をもとに状態を更新し（Ｓ１８）、問い合せ要求をもとに検索を実行する（Ｓ２０）。基地局装置１０は、登録要求の応答と状態通知とを送信する（Ｓ２２）。第１端末装置１２ａは、状態通知をもとに状態を更新する（Ｓ２４）。
【００４９】
図１１は、業務用無線システム１００による別の登録手順を示すシーケンス図である。第１端末装置１２ａの電源がオンされる（Ｓ３０）。第２端末装置１２ｂは、電源オン状態にされており（Ｓ３２）、第３端末装置１２ｃも、電源オン状態にされている（Ｓ３４）。第１端末装置１２ａは、登録要求と問い合せ要求とを送信する（Ｓ３６）。ここで、問い合せ要求では、第２端末装置１２ｂ、第３端末装置１２ｃの状態が問い合わされている。管理装置２０は、登録要求をもとに状態を更新し（Ｓ３８）、問い合せ要求をもとに検索を実行する（Ｓ４０）。基地局装置１０は、登録要求の応答と状態通知とを送信する（Ｓ４２）。基地局装置１０は、状態更新を報知する（Ｓ４４、Ｓ４６）。第１端末装置１２ａは、状態通知をもとに状態を更新する（Ｓ４８）。
【００５０】
図１２は、業務用無線システム１００による削除手順を示すシーケンス図である。第１端末装置１２ａは、電源オン状態にされている（Ｓ６０）。また、第２端末装置１２ｂは、電源オン状態にされており（Ｓ６２）、第３端末装置１２ｃも、電源オン状態にされている（Ｓ６４）。第１端末装置１２ａは、電源をオフにする（Ｓ６６）。第１端末装置１２ａは、削除要求を送信する（Ｓ６８）。管理装置２０は、削除要求をもとに状態を更新する（Ｓ７０）。基地局装置１０は、削除要求の応答を送信する（Ｓ７２）。基地局装置１０は、状態更新を報知する（Ｓ７４、Ｓ７６）。
【００５１】
図１３は、端末装置１２による発信手順を示すフローチャートである。操作部４８を介してＤｅｓｔｉｎａｔｉｏｎ  ＩＤが選択される（Ｓ１５０）。Ｄｅｓｔｉｎａｔｉｏｎ  ＩＤに対応した他の端末装置１２が電源ＯＮでなければ（Ｓ１５２のＮ）、Ｄｅｓｔｉｎａｔｉｏｎ  ＩＤの選択が不可になり（Ｓ１５４）、ステップ１５０に戻る。Ｄｅｓｔｉｎａｔｉｏｎ  ＩＤに対応した他の端末装置１２が電源ＯＮであり（Ｓ１５２のＹ）、ＰＴＴボタンが押下げられれば（Ｓ１５６）、処理部４２、送信部５４は、基地局装置１０へ発信する（Ｓ１５８）。ＰＴＴボタンが離される（Ｓ１６０）。
【００５２】
図１４は、端末装置１２による別の発信手順を示すフローチャートである。操作部４８を介してＤｅｓｔｉｎａｔｉｏｎ  ＩＤが入力／選択される（Ｓ１８０）。ＰＴＴボタンが押下げられれば（Ｓ１８２）、処理部４２は、Ｄｅｓｔｉｎａｔｉｏｎ  ＩＤの状態を取得する（Ｓ１８４）。Ｄｅｓｔｉｎａｔｉｏｎ  ＩＤに対応した他の端末装置１２が電源ＯＮでなければ（Ｓ１８６のＮ）、表示部５０は、通信不可能であるメッセージを表示する（Ｓ１８８）。Ｄｅｓｔｉｎａｔｉｏｎ  ＩＤに対応した他の端末装置１２が電源ＯＮであれば（Ｓ１８６のＹ）、処理部４２、送信部５４は、基地局装置１０へ発信する（Ｓ１９０）。ＰＴＴボタンが離される（Ｓ１９２）。
【００５３】
本実施例によれば、位置登録要求とともに問い合せ要求を送信するので、信号の送信を効率的に実行できる。また、位置登録要求とともに状態通知を受信するので、伝送効率を向上できる。また、他の端末装置の電源オフの状態が発信前に把握されるので、無駄な発信要求の送信を抑制できる。また、他の端末装置が電源オフであるか否かを表示するので、電源オフである他の端末装置への発信を抑制できる。また、電源オフである他の端末装置が選択されても、当該他の端末装置への発信要求を送信しないので、無駄な送信を防止できる。また、電源オフである他の端末装置が選択されると、通信不可能であることを表示するので、発信要求を送信しないことをユーザに知らせることができる。また、ひとつの端末装置が電源オンの状態に更新されたことを他の端末装置に報知するので、最新の状態を共有できる。
【００５４】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５５】
本発明の実施例において、管理装置２０は、ネットワーク１４に接続されている。しかしながらこれに限らず例えば、管理装置２０は、いずれかの基地局装置１０に内蔵されていてもよい。本変形例によれば、構成の自由度を向上できる。
【００５６】
本発明の実施例において、基地局装置１０、端末装置１２、管理装置２０は、業務用無線システム１００に含まれている。しかしながらこれに限らず例えば、基地局装置１０、端末装置１２、管理装置２０は、携帯電話システム等の無線通信システムに含まれていてもよい。本変形例によれば、構成の自由度を向上できる。
【００５７】
本発明の実施例において、通信を実行するための前提とされる情報が、位置登録要求とされている。しかしながらこれに限らず例えば、通信を実行するための前提とされる情報が、位置登録要求以外の情報であってもよい。位置登録要求以外の情報は、グループの変更要求、ＣＱＩ（Ｃｈａｎｎｅｌ  Ｑｕａｌｉｔｙ  Ｉｎｆｏｒｍａｔｉｏｎ）等である。つまり、通信を実行する前の段階で送信すべき情報であればよい。本変形例によれば、構成の自由度を向上できる。
【００５８】
本発明の実施例において、位置登録要求とともに状態通知が送信されている。しかしながらこれに限らず例えば、位置登録要求と状態通知とは別に送信されてもよい。本変形例によれば、構成の自由度を向上できる。
【符号の説明】
【００５９】
１０  基地局装置、  １２  端末装置、  １４  ネットワーク、  １６  エリア、  ２０  管理装置、  ３０  通信部、  ３２  処理部、  ３６  記憶部、  ４０  通信部、  ４２  処理部、  ４４  マイク、  ４６  スピーカ、  ４８  操作部、  ５０  表示部、  ５２  記憶部、  ５４  送信部、  ５６  受信部、  ６０  送信部、  ６２  受信部、  ７０  通信部、  ７２  処理部、  ７４  ネットワークＩＦ部、  ７６  送信部、  ７８  受信部、  ８０  位置登録管理部、  １００  業務用無線システム。
【図１】
0006303873.tif 000002
【図２】
0006303873.tif 000003
【図３】
0006303873.tif 000004
【図４】
0006303873.tif 000005
【図５】
0006303873.tif 000006
【図６】
0006303873.tif 000007
【図７】
0006303873.tif 000008
【図８】
0006303873.tif 000009
【図９】
0006303873.tif 000010
【図１０】
0006303873.tif 000011
【図１１】
0006303873.tif 000012
【図１２】
0006303873.tif 000013
【図１３】
0006303873.tif 000014
【図１４】
0006303873.tif 000015